(57)【要約】【課題】同一面から複数のレーザー光を発光することで配置空間を低減する場合でも、精度良く収差補正することが可能な液晶光学素子、光ピックアップ装置及び光ディスク装置を提供すること。【解決手段】同一面内から発光された第１のレーザー光及び第１のレーザー光と異なる第２のレーザー光が照射される透明電極１４４、１４６と、透明電極によって電圧が印加される液晶分子層１４２とを備え、透明電極は、第１のレーザー光の収差を補正する第１の電極パターン１５２と、第１の電極パターンと中心位置が相違し、第２のレーザー光の収差を補正する第２の電極パターン１５４とによって配置されたことを特徴とする。【選択図】図４
2010020828.tif 000002
【特許請求の範囲】
【請求項１】
同一面内から発光された第１のレーザー光及び前記第１のレーザー光と異なる第２のレーザー光が照射される透明電極と、
前記透明電極によって電圧が印加される液晶分子層と
を備え、
前記透明電極は、
前記第１のレーザー光の収差を補正する第１の電極パターンと、
前記第１の電極パターンと中心位置が相違し、前記第２のレーザー光の収差を補正する第２の電極パターンとによって配置された、液晶光学素子。
【請求項２】
前記第１のレーザー光によって前記透明電極面内に形成される第１の光スポットの中心と前記第１の電極パターンの中心とが一致し、
前記第２のレーザー光によって前記透明電極面内に形成される第２の光スポットの中心と前記第２の電極パターンの中心とが一致する、請求項１に記載の液晶光学素子。
【請求項３】
前記第２のレーザー光より前記第１のレーザー光の波長が長いとき、
前記第２の電極パターンは円形状であり、
前記第１の電極パターンは前記第２の電極パターンの円形状の内側に位置する、請求項１又は２に記載の液晶光学素子。
【請求項４】
前記第２の電極パターンは、前記第２のレーザー光によって前記透明電極面内に形成される第２の光スポットの内側に位置する、請求項３に記載の液晶光学素子。
【請求項５】
第１のレーザー光と、前記第１のレーザー光と異なる第２のレーザー光とを同一面内から発光する発光部と、
前記第１のレーザー光と前記第２のレーザー光を記録媒体面に集光する対物レンズと、
前記第１のレーザー光と前記第２のレーザー光が照射される透明電極と、前記透明電極によって電圧が印加される液晶分子層とを有する液晶光学素子と
を備え、
前記透明電極は、
前記第１のレーザー光の収差を補正する第１の電極パターンと、
前記第１の電極パターンと中心位置が相違し、前記第２のレーザー光の収差を補正する第２の電極パターンとによって配置された、光ピックアップ装置。
【請求項６】
前記発光部は、前記同一面内から前記第１のレーザー光及び前記第２のレーザー光に加えて、他の１以上のレーザー光を発光する、請求項５に記載の光ピックアップ装置。
【請求項７】
第１のレーザー光と、前記第１のレーザー光と異なる第２のレーザー光とを同一面内から発光する発光部と、
前記第１のレーザー光と前記第２のレーザー光を記録媒体面に集光する対物レンズと、
前記第１のレーザー光と前記第２のレーザー光が照射される透明電極と、前記透明電極によって電圧が印加される液晶分子層とを有する液晶光学素子と
を備え、
前記透明電極は、
前記第１のレーザー光の収差を補正する第１の電極パターンと、
前記第１の電極パターンと中心位置が相違し、前記第２のレーザー光の収差を補正する第２の電極パターンとによって配置された、光ディスク装置。
【発明の詳細な説明】
【技術分野】
【０００１】
本発明は、液晶光学素子、光ピックアップ装置及び光ディスク装置に関する。
【背景技術】
【０００２】
光ディスク装置は、ＣＤ、ＤＶＤやブルーレイディスクなどの光ディスク（光学記録媒体）に記録された情報を読み取ったり、光ディスクに情報を書き込んだりする。光ディスク装置は、光ディスクに向けてレーザー光を照射する発光部と、光ディスクの記録面にレーザー光を集光する光学系と、光ディスクで反射したレーザー光を受光する受光部などからなる光ピックアップ装置を有する。
【０００３】
近年、光ディスク上へのデータの記録には高密度化が要求されており、光ディスクの記録面に形成される光スポットの小径化が要請されている。しかし、光ピックアップ装置の製造誤差や、光ディスク装置に光ディスクを載置したときの光ディスクの傾きなどの影響によって収差が発生し、光スポットの径が拡大するため、精度の良いデータの記録又は再生が困難になるという問題があった。
【０００４】
そこで、収差を補正できる液晶光学素子が、発光部と光ディスクの間のレーザー光の光路上に配置される場合がある。液晶光学素子は、透明電極と液晶分子層からなる。透明電極が液晶分子層に電圧を印加することで、液晶分子層の液晶分子の配向が変化し、屈折率が変化する。そして、レーザー光が液晶光学素子を透過することで、収差が補正される。
【０００５】
例えば、特許文献１及び２には、液晶光学素子を用いてレーザー光を補正する技術が開示されている。
【０００６】
【特許文献１】特開２００５−１２２８２８号公報
【特許文献２】特開２００５−２６７７９０号公報
【発明の開示】
【発明が解決しようとする課題】
【０００７】
ところで、光ディスク装置には、複数のレーザー光を発光する発光部を有して、例えば、ＤＶＤやブルーレイディスクなど複数の種類の光ディスクに対応して、データを記録又は再生したりすることができるものがある。こうした光ディスク装置では、複数のレーザー光それぞれに応じて、発生する収差が異なるため、従来の液晶光学素子を用いるだけでは、収差を補正することができない。そこで、特許文献１は、複数のレーザー光に対応した液晶光学素子の技術を開示している。
【０００８】
しかし、特許文献１に記載された技術の液晶光学素子では、液晶光学素子面に形成される複数のレーザー光の光束による光スポットの中心が互いに一致する必要があり、光スポットの中心が一致せず、ずれている場合、収差補正が適切に行えないという問題があった。また、特許文献１の液晶光学素子の機能を実現するためには、複数のレーザー光の照射方向を精度よく調整する必要があった。あるいは、レーザー光の光軸方向の液晶光学素子の設置位置を厳密に調整する必要があった。従って、複数のレーザー光の発光素子が同一基板に設置されているような発光部は、レーザー光の照射方向の調整が困難であり、特許文献１の液晶光学素子を適用することができなかった。
【０００９】
また、複数のレーザー光の発光素子が同一基板に設置されているような発光部を光ピックアップ装置に適用することで、光ピックアップ装置の薄型化を図ることができる。しかし、特許文献１の液晶光学素子を適用することができないため、複数のレーザー光の発光素子を異なる基板に分散配置することになる。特許文献２には、１つのレーザー光の収差を補正する液晶光学素子を適用し、液晶光学素子を傾けて配置することで、光ピックアップ装置の薄型化を図る技術が開示されている。
【００１０】
しかし、液晶光学素子を傾ける場合、レーザー光の入射角に依存して収差補正の補正量が変化するため、液晶光学素子を精度良く配置する必要があるという問題があった。
【００１１】
そこで、本発明は、上記問題に鑑みてなされたものであり、本発明の目的とするところは、同一面から複数のレーザー光を発光することで配置空間を低減する場合でも、精度良く収差補正することが可能な、新規かつ改良された液晶光学素子、光ピックアップ装置及び光ディスク装置を提供することにある。
【課題を解決するための手段】
【００１２】
上記課題を解決するために、本発明のある観点によれば、同一面内から発光された第１のレーザー光及び第１のレーザー光と異なる第２のレーザー光が照射される透明電極と、透明電極によって電圧が印加される液晶分子層とを備え、透明電極は、第１のレーザー光の収差を補正する第１の電極パターンと、第１の電極パターンと中心位置が相違し、第２のレーザー光の収差を補正する第２の電極パターンとによって配置された液晶光学素子が提供される。
【００１３】
上記第１のレーザー光によって透明電極面内に形成される第１の光スポットの中心と第１の電極パターンの中心とが一致し、第２のレーザー光によって透明電極面内に形成される第２の光スポットの中心と第２の電極パターンの中心とが一致してもよい。
【００１４】
上記第２のレーザー光より第１のレーザー光の波長が長いとき、第２の電極パターンは円形状であり、第１の電極パターンは第２の電極パターンの円形状の内側に位置してもよい。
【００１５】
上記第２の電極パターンは、第２のレーザー光によって透明電極面内に形成されてもよい。
【００１６】
また、上記課題を解決するために、本発明の別の観点によれば、第１のレーザー光と、第１のレーザー光と異なる第２のレーザー光とを同一面内から発光する発光部と、第１のレーザー光と第２のレーザー光を記録媒体面に集光する対物レンズと、第１のレーザー光と第２のレーザー光が照射される透明電極と、透明電極によって電圧が印加される液晶分子層とを有する液晶光学素子とを備え、透明電極は、第１のレーザー光の収差を補正する第１の電極パターンと、第１の電極パターンと中心位置が相違し、第２のレーザー光の収差を補正する第２の電極パターンとによって配置された、光ピックアップ装置が提供される。
【００１７】
上記発光部は、同一面内から第１のレーザー光及び第２のレーザー光に加えて、他の１以上のレーザー光を発光してもよい。
【００１８】
また、上記課題を解決するために、本発明の別の観点によれば、第１のレーザー光と、第１のレーザー光と異なる第２のレーザー光とを同一面内から発光する発光部と、第１のレーザー光と第２のレーザー光を記録媒体面に集光する対物レンズと、第１のレーザー光と第２のレーザー光が照射される透明電極と、透明電極によって電圧が印加される液晶分子層とを有する液晶光学素子とを備え、透明電極は、第１のレーザー光の収差を補正する第１の電極パターンと、第１の電極パターンと中心位置が相違し、第２のレーザー光の収差を補正する第２の電極パターンとによって配置された光ディスク装置が提供される。
【発明の効果】
【００１９】
本発明によれば、同一面から複数のレーザー光を発光することで配置空間を低減する場合でも、精度良く収差補正することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
まず、図１を参照して、本発明の一実施形態に係る光ディスク装置１００について説明する。図１は、本実施形態に係る光ディスク装置１００の構成を示すブロック図である。
【００２２】
光ディスク装置１００は、図１に示すように、光ピックアップ１０２と、光ディスク（光学記録媒体）１０を回転駆動するスピンドルモータ１０４と、送りモータ１０６と、駆動制御部１０８と、信号処理部１１０と、信号変復調部１１２と、システムコントローラ１１４と、操作部１１６などからなる。
【００２３】
光ピックアップ１０２は、光ピックアップ装置の一例であり、光ディスク１０にレーザー光を照射したり、光ディスク１０で反射した光を受光したりする。光ピックアップ１０２は、図２などを参照して後述するとおり、対物レンズ１３２、対物レンズ１３２を駆動する２軸アクチュエータ（図示せず。）、発光部１２２（例えばレーザーダイオード）、受光素子（例えばフォトダイオード１３８）などを有している。
【００２４】
スピンドルモータ１０４は、駆動制御部１０８から駆動信号を受ける。スピンドルモータ１０４は、光ディスク１０を載置するディスクテーブル（図示せず。）を所定の速度で回転駆動する。その結果、光ディスク１０が光ディスク１０の中心を軸に回転する。
送りモータ１０６は、駆動制御部１０８から駆動信号を受ける。送りモータ１０６は、送り機構を介して光ピックアップ１０２を光ディスク１０の半径方向（ラジアル方向）に移動する。光ピックアップ１０２は、所定の位置に移動されることによって所定データの記録再生が可能となる。
【００２５】
駆動制御部１０８は、システムコントローラ１１４からトラッキングエラー信号やフォーカスエラー信号を受け、光ピックアップ１０２の２軸アクチュエータの駆動に関する駆動信号を生成する。駆動制御部１０８は、生成した駆動信号を光ピックアップ１０２の２軸アクチュエータに送る。
また、駆動制御部１０８は、システムコントローラ１１４から制御信号を受け、光ピックアップ１０２の発光部１２２、スピンドルモータ１０４、送りモータ１０６の駆動に関する駆動信号を生成する。駆動制御部１０８は、生成した駆動信号を発光部１２２、スピンドルモータ１０４、送りモータ１０６に送る。
【００２６】
信号処理部１１０は、光ピックアップ１０２から、レーザー光の反射光に基づいた出力信号を受ける。信号処理部１１０は、受けた信号をアナログ信号からデジタル信号に変換したり、増幅したりするなどの信号処理を行う。信号処理部１１０は、信号処理して生成した信号を信号変復調部１１２や駆動制御部１０８に送る。
【００２７】
信号変復調部１１２は、データ再生時、信号処理部１１０から信号を受けて、信号の復調処理を行う。また、信号変復調部１１２は、データ記録時、外部から受けた信号に基づいて、信号の変調処理を行い、処理済の信号を信号処理部１１０に送る。
【００２８】
システムコントローラ１１４は、操作部１１６との信号の入出力が行われる。また、システムコントローラ１１４には、信号変復調部１１２から出力された出力信号が入力される。システムコントローラ１１４は、信号変復調部１１２から出力された出力信号に基づいて、トラッキングエラー信号やフォーカスエラー信号を生成する。システムコントローラ１１４は、生成したトラッキングエラー信号やフォーカスエラー信号を駆動制御部１０８に送る。
また、システムコントローラ１１４は、信号変復調部１１２から出力された出力信号に基づいて、発光部１２２、スピンドルモータ１０４、送りモータ１０６を制御する制御信号を生成する。システムコントローラ１１４は、生成した制御信号を駆動制御部１０８に送る。
【００２９】
以下、上記の構成を有する光ディスク装置１００の動作について説明する。データ記録時においては、図示しない外部のコンピュータからインターフェースを介して入力されたデジタルデータが、信号変復調部１１２でエラー訂正符号（ＥＣＣ）が付加されて変調される。変調されたデジタルデータに基づき、レーザー光を制御する駆動制御部１０８によりパルスが生成され、光ピックアップ１０２を介して光ディスク１０にレーザー光が照射されることで、デジタルデータが記録される。また、駆動制御部１０８によって、適宜サーボ制御がなされる。
【００３０】
一方、データ再生時においては、レーザー光が光ディスク１０に照射されると、その戻り反射光が光ピックアップ１０２のフォトダイオード１３８によって検出される。フォトダイオード１３８によって検出された反射光は、信号処理部１１０において増幅、波形等化等が計算されて、再生信号が再生され、再生信号が２値化されたビット列が生成される。生成されたビット列は、信号変復調部１１２により信号復調及びエラー訂正が行われる。復調された信号は、システムコントローラ１１４における映像音声処理よって映像データ及び音声データに分離され、Ｄ／Ａ変換がなされてアナログ出力される。データ再生の際も、駆動制御部１０８によって、適宜サーボ制御がなされる。
【００３１】
次に、図２を参照して、本実施形態に係る光ピックアップ１０２の構成について説明する。図２は、本実施形態に係る光ピックアップ１０２の構成を示す説明図である。図３は、本実施形態に係る液晶光学素子１２０を示す断面図であり、各構成要素を分割し離隔して示したものである。
【００３２】
光ピックアップ１０２は、図２に示すように、例えば、液晶光学素子１２０と、発光部１２２と、コリメータレンズ１２６と、ビームスプリッタ１２８と、１／４波長板１３０と、対物レンズ１３２と、調整レンズ１３６と、フォトダイオード１３８などからなる。
【００３３】
液晶光学素子１２０は、光ピックアップ１０２の製造誤差や、光ディスク装置１００に光ディスク１０を載置したときの光ディスク１０の傾きなどの影響によって発生する収差を補正する。液晶光学素子１２０は、発光部１２２と光ディスク１０の間のレーザー光の光路上に配置される。液晶光学素子１２０は、図３に示すように、液晶分子層１４２と、透明電極１４４、１４６と、ガラス基板１４８などからなる。透明電極１４４、１４６が液晶分子層１４２に電圧を印加することで、液晶分子層１４２の液晶分子の配向が変化し、屈折率が変化する。そして、レーザー光が液晶光学素子１２０を透過することで、収差が補正される。液晶光学素子１２０は、２つのガラス基板１４８の間に、液晶分子層１４２と２つの透明電極１４４、１４６を挟持する。また、２つの透明電極１４４、１４６は、液晶分子層１４２を挟持する。
【００３４】
発光部１２２は、例えば２つのレーザーダイオード（発光素子）（以下では、第１のレーザーダイオード、第２のレーザーダイオードともいう。）を有する。発光部１２２は、駆動制御部１０８から駆動信号を受けて、レーザー光を光ディスク１０に発光する。２つのレーザーダイオードは、発光部１２２において同一面内（例えば、同一基板上）に設置される。２つのレーザーダイオードは、同一方向にレーザー光を照射する。２つのレーザーダイオードの設置間隔は、所定の間隔に設定される。
【００３５】
コリメータレンズ１２６は、発光部１２２から照射されたレーザー光を平行光に変換する。コリメータレンズ１２６を通過して出力されたレーザー光は、対物レンズ１３２まで平行光となる。
【００３６】
ビームスプリッタ１２８は、ビームスプリッタ１２８に入射する光の偏波方向に応じた光透過特性を有している。ビームスプリッタ１２８は、発光部１２２から照射されたレーザー光を光ディスク１０側にそのまま透過させる。また、ビームスプリッタ１２８は、光ディスク１０で反射したレーザー光の戻り光をフォトダイオード１３８側に反射させる。
【００３７】
１／４波長板１３０は、発光部１２２側から直線偏光状態で入射したレーザー光を円偏光状態に変換する。また、１／４波長板１３０は、光ディスク１０側から円偏光状態で入射したレーザー光の戻り光を直線偏光状態に変換する。
【００３８】
対物レンズ１３２は、２軸アクチュエータによってトラッキング制御やフォーカス制御されながら駆動される。また、対物レンズ１３２は、発光部１２２から照射されたレーザー光を光ディスク１０に集光する。対物レンズ１３２は、光ディスク１０上にレーザー光を光スポットとして集光可能である。
【００３９】
２軸アクチュエータは、高速回転する光ディスク１０に対物レンズ１３２を追従させる駆動装置である。２軸アクチュエータは、駆動制御部１０８から駆動信号を受ける。２軸アクチュエータは、対物レンズ１３２をフォーカス方向とトラッキング方向との２軸方向に駆動可能である。２軸アクチュエータは、光ディスク１０のデータ記録面におけるレーザー光のフォーカスを調節する。なお、対物レンズ１３２の駆動は２軸アクチュエータ１１８に限定されず。３軸アクチュエータであってもよい。このとき、３軸アクチュエータは、対物レンズをフォーカス制御、トラッキング制御するだけでなく、チルト制御もする。
【００４０】
調整レンズ１３６は、ビームスプリッタ１２８から出力された光をフォトダイオード１３８上に集光する。
【００４１】
フォトダイオード１３８は、受光素子の一例であり、光ディスク１０で反射したレーザー光の反射光を受光する。フォトダイオード１３８は、受光したレーザー光を電気信号に変換して、信号を信号処理部１１０に出力する。
【００４２】
次に、本実施形態に係る液晶光学素子１２０における透明電極１４４、１４６の電極パターンについて説明する。図４〜図８は、本実施形態の液晶光学素子１２０を示す平面図である。
【００４３】
液晶光学素子１２０には、図４〜図８に示すような電極パターンで透明電極１４４、１４６が配置される。透明電極１４４、１４６は、発光部１２２に設けられた第１のレーザーダイオードから照射された第１のレーザー光において発生する収差を補正する第１の電極パターンを有する。また、透明電極１４４、１４６は、発光部１２２に設けられた第２のレーザーダイオードから照射された第２のレーザー光において発生する収差を補正する第２の電極パターンを有する。
【００４４】
第１の電極パターン又は第２の電極パターンは、補正対象とする収差、例えばコマ収差、非点収差、球面収差などに応じた所定の形状を有している。透明電極１４４、１４６は、第１のレーザー光又は第２のレーザー光において発生する収差を、第１の電極パターン又は第２の電極パターンの所定の形状に応じて補正する。これにより、光ディスク１０上に形成される光スポットは、収差が補正された光スポットとなる。透明電極１４４、１４６が補正する収差の補正量は、透明電極１４４、１４６が印加する電圧値に応じて調整される。
【００４５】
第１の電極パターンは、透明電極１４４又は透明電極１４６で形成され、第２の電極パターンは、第１の電極パターンが形成されていないほうの透明電極１４６又は透明電極１４４で形成されるとしてもよい。または、透明電極１４４又は透明電極１４６のいずれか一方に、第１の電極パターンと第２の電極パターンの両者が形成され、他方の透明電極には電極パターンが形成されないとしてもよい。
【００４６】
更に、第１の電極パターンと第２の電極パターンは、それぞれの中心位置が一致せず、中心位置が相違するように配置される。液晶光学素子１２０は、第１のレーザー光の光束によって液晶光学素子１２０面内に形成される第１の光スポットの中心と、第１の電極パターンの中心点とが一致するように配置される。また、液晶光学素子１２０は、第２のレーザー光の光束によって液晶光学素子１２０面内に形成される第２の光スポットの中心と、第２の電極パターンの中心点とが一致するように配置される。
【００４７】
第１の電極パターンの中心と、第２の電極パターンの中心との間の距離は、第１の光スポットの中心と第２の光スポットの中心との間隔によって決定される。また、第１の光スポットの中心と第２の光スポットの中心との間隔は、発光部１２２における第１のレーザーダイオードと第２のレーザーダイオードの間隔、第１のレーザー光と第２のレーザー光の波長、発光部１２２と液晶光学素子１２０との間隔などによって決定される。
【００４８】
液晶光学素子１２０を光ピックアップ１０２に設置するときは、まず、液晶光学素子１２０がレーザー光の光軸方向において、光軸に対して垂直となるように所定の位置に設置される。そして、液晶光学素子１２０を面内で移動して、第１の電極パターンの中心と、第１の光スポットの中心を一致させる。次に、液晶光学素子１２０を面内で回転させて、第２の電極パターンの中心と、第２の光スポットの中心を一致させる。これにより、液晶光学素子１２０を適正な位置に迅速に設置することができる。
【００４９】
なお、発光部１２２の第１のレーザーダイオードと第２のレーザーダイオードの設置方向と、最終的に設置される液晶光学素子１２０の面内の傾きは一意に決定される。従って、液晶光学素子１２０をレーザー光の光軸上に設置する段階で、液晶光学素子１２０の面内の傾きを、発光部１２２の第１のレーザーダイオードと第２のレーザーダイオードの設置方向を考慮して設置しておけば、液晶光学素子１２０を面内で移動して、第１の電極パターンの中心と、第１の光スポットの中心を一致させるだけで、次に、液晶光学素子１２０を面内で回転させることなく、第２の電極パターンの中心と、第２の光スポットの中心を同時に一致させることができる。
【実施例１】
【００５０】
図４に示す実施例１は、コマ収差補正用の電極パターンの例である。液晶光学素子１２０は、例えば、透明電極１４４に電極パターン１５２（第１の電極パターン）が形成され、透明電極１４６に電極パターン１５４（第２の電極パターン）が形成される。電極パターン１５２は、２つの略楕円形状が中心点Ａを中心として対称に配置されて形成され、電極パターン１５４は、２つの略楕円形状が中心点Ｂを中心として対称に配置されて形成される。中心点Ａと中心点Ｂとは、所定の間隔を有する。実施例１では、第１のレーザー光と第２のレーザー光の波長に応じて、電極パターン１５２の楕円形状の大きさと、電極パターン１５４の楕円形状の大きさが決定される。
【００５１】
液晶光学素子１２０は、第１のレーザー光の光束によって透明電極１４４面内に形成される第１の光スポットの中心と、中心点Ａとが一致するように配置される。また、液晶光学素子１２０は、第２のレーザー光の光束によって透明電極１４６面内に形成される第２の光スポットの中心と、中心点Ｂとが一致するように配置される。
【００５２】
これにより、電極パターン１５２によって第１のレーザー光のコマ収差が補正され、電極パターン１５４によって第２のレーザー光のコマ収差が補正される。
【実施例２】
【００５３】
図５に示す実施例２は、第１のレーザー光によるコマ収差補正用の電極パターン１５６（第１の電極パターン）と第２のレーザー光による非点収差補正用又は球面収差補正用の電極パターン１５８（第２の電極パターン）の例である。実施例２の電極パターンは、電極パターン１５８の中に電極パターン１５６が納まっている。液晶光学素子１２０は、例えば、透明電極１４４に電極パターン１５６が形成され、透明電極１４６に電極パターン１５８が形成される。または、液晶光学素子１２０は、例えば、透明電極１４４に電極パターン１５６、１５８の両者が形成されるとしてもよい。
【００５４】
電極パターン１５６は、２つの略楕円形状が中心点Ｃを中心として対称に配置されて形成され、電極パターン１５８は、１つの略円形状が中心点Ｄを中心として配置されて形成される。中心点Ｃと中心点Ｄとは、所定の間隔を有する。実施例２では、第１のレーザー光と第２のレーザー光の波長に応じて、電極パターン１５６の楕円形状の大きさと、電極パターン１５８の円形状の大きさが決定される。
【００５５】
液晶光学素子１２０は、第１のレーザー光の光束によって液晶光学素子１２０面内に形成される第１の光スポットの中心と、中心点Ｃとが一致するように配置される。また、液晶光学素子１２０は、第２のレーザー光の光束によって液晶光学素子１２０面内に形成される第２の光スポットの中心と、中心点Ｄとが一致するように配置される。
【００５６】
これにより、電極パターン１５６によって第１のレーザー光のコマ収差が補正され、電極パターン１５８によって第２のレーザー光の非点収差又は球面収差が補正される。
【実施例３】
【００５７】
図６及び図７に示す実施例３は、第１のレーザー光による収差補正用の電極パターン１６２Ａ、１６２Ｂ（第１の電極パターン）を有し、第２のレーザー光による収差補正用の電極パターン１６４Ａ、１６４Ｂ（第２の電極パターン）を有する例である。電極パターン１６２Ａは、第１のレーザー光による非点収差補正用又は球面収差補正用の電極パターンであり、電極パターン１６２Ｂは、第１のレーザー光によるコマ収差補正用の電極パターンである。また、電極パターン１６４Ａは、第２のレーザー光による非点収差補正用又は球面収差補正用の電極パターンであり、電極パターン１６４Ｂは、第２のレーザー光によるコマ収差補正用の電極パターンである。
【００５８】
液晶光学素子１２０は、例えば、透明電極１４４に電極パターン１６２Ａ、１６２Ｂが形成され、透明電極１４６に電極パターン１６４Ａ、１６４Ｂが形成される。第２のレーザー光より第１のレーザー光の波長が長いとき、電極パターン１６２Ａ、１６２Ｂは電極パターン１６４Ａ、１６４Ｂの円形状の内側に位置する。
【００５９】
図６に示すように、電極パターン１６２Ａは、２つの略楕円形状が中心点Ｅを中心として対称に配置されて形成され、電極パターン１６２Ｂは、１つの略円形状の変形形状が中心点Ｅを中心として配置されて形成される。また、図７に示すように、電極パターン１６４Ａは、２つの略楕円形状が中心点Ｇを中心として対称に配置されて形成され、電極パターン１６４Ｂも、１つの略円形状の変形形状が中心点Ｇを中心として配置されて形成される。
【００６０】
実施例３では、中心点Ｅと中心点Ｇとは、所定の間隔を有する。実施例３では、第１のレーザー光と第２のレーザー光の波長に応じて、電極パターン１６２Ａ、１６２Ｂの楕円形状の大きさと、電極パターン１６４Ａ、１６４Ｂの円形状の変形形状の大きさが決定される。
【００６１】
液晶光学素子１２０は、第１のレーザー光の光束によって液晶光学素子１２０面内に形成される第１の光スポット１２の中心と、中心点Ｅとが一致するように配置される。また、液晶光学素子１２０は、第２のレーザー光の光束によって液晶光学素子１２０面内に形成される第２の光スポット１４の中心と、中心点Ｇとが一致するように配置される。
【００６２】
これにより、電極パターン１６２Ａ、１６４Ａによって第１のレーザー光、第２のレーザー光の非点収差又は球面収差が補正され、電極パターン１６２Ｂ、１６４Ｂによって第１のレーザー光、第２のレーザー光のコマ収差が補正される。
【実施例４】
【００６３】
図８に示す実施例４は、第１のレーザー光によるコマ収差補正用の電極パターン１６６（第１の電極パターン）と第２のレーザー光による非点収差補正用又は球面収差補正用の電極パターン１６８（第２の電極パターン）の例である。実施例４の電極パターンは、電極パターン１６８の中に電極パターン１６６が納まっている。液晶光学素子１２０は、例えば、透明電極１４４に電極パターン１６６が形成され、透明電極１４６に電極パターン１６８が形成される。または、液晶光学素子１２０は、例えば、透明電極１４４に電極パターン１６６、１６８の両者が形成されるとしてもよい。
【００６４】
電極パターン１６６は、２つの略楕円形状が中心点Ｅを中心として対称に配置されて形成され、電極パターン１６８は、１つの略円形状が中心点Ｆを中心として配置されて形成される。中心点Ｅと中心点Ｆとは、所定の間隔を有する。実施例４では、第１のレーザー光と第２のレーザー光の波長に応じて、電極パターン１６６の楕円形状の大きさと、電極パターン１６８の円形状の大きさが決定される。
【００６５】
液晶光学素子１２０は、第１のレーザー光の光束によって液晶光学素子１２０面内に形成される第１の光スポットの中心と、中心点Ｅとが一致するように配置される。また、液晶光学素子１２０は、第２のレーザー光の光束によって液晶光学素子１２０面内に形成される第２の光スポット１４の中心と、中心点Ｆとが一致するように配置される。電極パターン１６８は、第２の光スポット１４の径より小さい。
【００６６】
これにより、電極パターン１６６によって第１のレーザー光のコマ収差が補正され、電極パターン１６８によって第２のレーザー光の非点収差又は球面収差が補正される。
【００６７】
上述したとおり、本実施形態によれば、第１のレーザー光と第２のレーザー光のそれぞれに応じた収差補正のための電極パターンの形状を決定することができる。
また、本実施形態の液晶光学素子１２０は、第１のレーザー光の収差補正用の電極パターンの中心と、第２のレーザー光の収差補正用の電極パターンの中心の位置が異なる。従って、複数のレーザー光の照射方向を精度よく調整する必要がない。例えば、本実施形態のように、複数のレーザー光のレーザーダイオードが同一基板に設置されているような発光部１２２であって、レーザー光の照射方向の調整が困難な場合にも、精度良く収差補正することができる。
【００６８】
通常、複数のレーザー光のレーザーダイオードが同一基板に設置されている場合、複数のレーザー光の光束の中心は、アパチャー位置のみ一致し、他の位置では一致しない。アパチャーは、対物レンズ近傍に設けられる。従って、従来の液晶光学素子は、本実施形態の液晶光学素子１２０と異なり、複数の電極パターンの中心が一致しているため、アパチャー以外に設置できないという問題があった。あるいは、複数のレーザー光の光束の中心がほぼ一致している位置に、妥協して液晶光学素子を設置せざるを得ないという問題があった。
【００６９】
なお、複数のレーザー光の光束の中心は、波長選択性の軸合ホログラムなどの部材を用いて光の向きを補正することで一致させることができるが、部材が増えるため、光ピックアップ、光ディスク装置の薄型化を妨げる要因となった。
【００７０】
一方、本実施形態によれば、複数のレーザー光の光束の中心が一致しない位置でも、液晶光学素子１２０を設置することができる。そのため、例えば、液晶光学素子１２０を対物レンズ１３２近傍でなく発光部１２２近傍に設けることができる。その結果、液晶光学素子１２０は、レーザー光の光源近くでレーザー光を受光するため、収差補正の精度を向上させることができる。また、液晶光学素子１２０の小型化を図ることができる。
【００７１】
また、本実施形態の液晶光学素子１２０を用いれば、発光素子からのレーザー光の照射方向を調整する必要がない。そのため、同一基板に複数の発光素子を有する発光部１２２を適用することができる。その結果、レーザー光の照射方向を調整するため個別に発光素子を設ける光ピックアップに比べて、発光部１３２の設置スペースを低減することができ、光ピックアップ１２０の薄型化を図ることができる。
【００７２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７３】
例えば、上記実施形態では、電極パターンについて4つの実施例をもとに説明したが、本発明はかかる例に限定されない。第１のレーザー光の収差を補正する第１の電極パターンと、第１の電極パターンと中心位置が相違し、第２のレーザー光の収差を補正する第２の電極パターンで、透明電極が配置されていれば他の例でもよい。
【００７４】
また、上記実施形態では、発光部１２０に２つの発光素子が設置される場合について説明したが、本発明はかかる例に限定されない。例えば、発光部１２０には３つ以上の発光素子が設置されるとしてもよい。
【００７５】
また、上記実施形態では、図２に示すようにコリメータレンズ１２６が設置される場合について説明したが、本発明はかかる例に限定されない。例えば、図９に示すようにコリメータレンズ１２６を設置しない場合についても適用することができる。図９は、本実施形態の変更例に係る光ピックアップ１０２の構成を示す説明図である。
【００７６】
従来では、液晶光学素子の機能上、複数のレーザー光の光束の中心を可能な限り一致させる必要がある。そのため、コリメータレンズの使用は不可欠だった。一方、本実施形態の液晶光学素子１２０によれば、複数のレーザー光の光束の中心がずれている場合でも、適正に収差補正をすることができるため、あるいは、発光部１２２近傍に液晶光学素子１２０を設置することができるため、コリメータレンズが不要である。従って、本実施形態の変更例によれば、光ピックアップ、光ディスク装置を更に薄型化することができる。
【図面の簡単な説明】
【００７７】
【図１】本発明の一実施形態に係る光ディスク装置の構成を示すブロック図である。
【図２】同実施形態に係る光ピックアップの構成を示す説明図である。
【図３】同実施形態に係る液晶光学素子を示す断面図である。
【図４】同実施形態に係る液晶光学素子を示す平面図である。
【図５】同実施形態に係る液晶光学素子を示す平面図である。
【図６】同実施形態に係る液晶光学素子を示す平面図である。
【図７】同実施形態に係る液晶光学素子を示す平面図である。
【図８】同実施形態に係る液晶光学素子を示す平面図である。
【図９】同実施形態の変更例に係る光ピックアップの構成を示す説明図である。
【符号の説明】
【００７８】
１０      光ディスク
１２、１４      光束
１００      光ディスク装置
１０２      光ピックアップ
１０４      スピンドルモータ
１０６      送りモータ
１０８      駆動制御部
１１０      信号処理部
１１２      信号変復調部
１１４      システムコントローラ
１１６      操作部
１２０      液晶光学素子
１２２      発光部
１２６      コリメータレンズ
１２８      ビームスプリッタ
１３０      １／４波長板
１３２      対物レンズ
１３６      調整レンズ
１３８      フォトダイオード
１４２      液晶分子層
１４４、１４６      透明電極
１４８      ガラス基板
１５２、１５４、１５６、１５８、１６２Ａ、１６２Ｂ、１６４Ａ、１６４Ｂ、１６６、１６８      電極パターン
【図１】
2010020828.tif 000003
【図２】
2010020828.tif 000004
【図３】
2010020828.tif 000005
【図４】
2010020828.tif 000006
【図５】
2010020828.tif 000007
【図６】
2010020828.tif 000008
【図７】
2010020828.tif 000009
【図８】
2010020828.tif 000010
【図９】
2010020828.tif 000011